(57)【要約】      （修正有）【課題】作成に手数を要さず、迅速に組み立て可能な仕切板を備える包装用箱を提供する。【解決手段】包装用箱は、四角形の底板２１と、底板２１に対して起立し互いに対向する一対の第一側板２２、２３と、第一側板２２、２３に隣接するとともに底板２１に対して起立し互いに対向する一対の第二側板２４、２５と、第一側板２２に連設し、底板２１と互いに対向する第一折込板２８と、第二側板２４、２５に連設し、底板２１と互いに対向する第二折込板３３、３４と、第一折込板２８の第一側板２２、２３間方向略中央部に、第二側板２４、２５間方向に隣り合う谷折線と山折線と、谷折線の一端から山折線の一端を通過して延びる第一切線と、山折線の他端から谷折線の他端を通過して延びる第二切線とで囲まれる領域が底板２１に対して起立する仕切板２９とを備える。【選択図】図２
0003195439.tif 000002
【実用新案登録請求の範囲】
【請求項１】
四角形の底板と、
前記底板に連設し、前記底板に対して起立し互いに対向する一対の第一側板と、
前記底板に連設し、前記第一側板に隣接するとともに前記底板に対して起立し互いに対向する一対の第二側板と、
前記第一側板に連設し、前記底板と互いに対向する第一折込板と、
前記第二側板に連設し、前記底板と互いに対向する第二折込板と、
前記第一折込板の前記第一側板間方向略中央部に、前記第二側板間方向に隣り合う少なくとも一対の谷折線と山折線と、前記谷折線の一端から前記山折線の一端を通過して延びる第一切線と、前記山折線の他端から前記谷折線の他端を通過して延びる第二切線とで囲まれる領域が前記底板に対して起立する仕切板と、を備えることを特徴とする包装用箱。
【請求項２】
前記第一折込板に連設し、前記第一折込板と重ねて固定する重合板を備えることを特徴とする、請求項１に記載する包装用箱。
【請求項３】
前記第一折込板の前記第二側板側に連設し、前記底板に対して起立するとともに前記第二側板と接触する起立板を備えることを特徴とする、請求項１又は請求項２に記載する包装用箱。
【請求項４】
前記重合板の前記第二側板側に連設し、前記底板に対して起立するとともに前記第二側板と接触する起立板を備えることを特徴とする、請求項２に記載する包装用箱。
【請求項５】
前記起立板と前記第二折込板とが接触することを特徴とする、請求項３又は請求項４に記載する包装用箱。
【請求項６】
前記第一折込板と前記第二折込板とを重ねて固定する係止機構を備えることを特徴とする、請求項１から請求項５のいずれか一項に記載する包装用箱。
【請求項７】
前記対向する第一側板のいずれか一方に第一折込板を連設し、他方に蓋板を連設することを特徴とする、請求項１から請求項６のいずれか一項に記載する包装用箱。
【考案の詳細な説明】
【技術分野】
【０００１】  本考案は、包装用箱に関し、より詳細には仕切板を備える包装用箱に関する。
【背景技術】
【０００２】  従来から、包装用箱内に収容される物品を位置決めるため、板紙等の素材で形成された仕切体が用いられている。例えば、中仕切板に複数本の斜めの切り込みを左右方向へ平行に設け、この切り込み間に折り目を設け、当該折り目を折り曲げて中仕切板片を直角に折り曲げ、保持孔を構成する包装箱の中仕切包装装置が知られている。【０００３】
【先行技術文献】
【特許文献】
【０００４】
【特許文献１】実開昭６０−１１０２１５号公報
【考案の開示】
【考案が解決しようとする課題】
【０００５】  しかしながら、前記従来の中仕切包装装置は作成に手数を要する。【０００６】  本考案は前記課題に鑑みてなされたものであって、作成に手数を要さず、迅速に組み立て可能な仕切板を備える包装用箱の提供を課題とする。
【課題を解決するための手段】
【０００７】  本考案の解決しようとする課題は以上の如くであり、次にこの課題を解決するための手段を説明する。【０００８】  第１の考案では、四角形の底板と、
前記底板に連設し、前記底板に対して起立し互いに対向する一対の第一側板と、
前記底板に連設し、前記第一側板に隣接するとともに前記底板に対して起立し互いに対向する一対の第二側板と、
前記第一側板に連設し、前記底板と互いに対向する第一折込板と、
前記第二側板に連設し、前記底板と互いに対向する第二折込板と、
前記第一折込板の前記第一側板間方向略中央部に、前記第二側板間方向に隣り合う少なくとも一対の谷折線と山折線と、前記谷折線の一端から前記山折線の一端を通過して延びる第一切線と、前記山折線の他端から前記谷折線の他端を通過して延びる第二切線とで囲まれる領域が前記底板に対して起立する仕切板と、を備えることを特徴とする包装用箱である。【０００９】  第２の考案では、第１の考案であって、前記第一折込板に連設し、前記第一折込板と重ねて固定する重合板を備えることを特徴とする包装用箱である。【００１０】  第３の考案では、第１又は第２の考案であって、前記第一折込板の前記第二側板側に連設し、前記底板に対して起立するとともに前記第二側板と接触する起立板を備えることを特徴とする包装用箱である。【００１１】  第４の考案では、第２の考案であって、前記重合板の前記第二側板側に連設し、前記底板に対して起立するとともに前記第二側板と接触する起立板を備えることを特徴とする包装用箱である。【００１２】  第５の考案では、第３又は第４の考案であって、前記起立板と前記第二折込板とが接触することを特徴とする包装用箱である。【００１３】  第６の考案では、第１から第５のいずれかの考案であって、前記第一折込板と前記第二折込板とを重ねて固定する係止機構を備えることを特徴とする包装用箱である。【００１４】  第７の考案では、第１から第６のいずれかの考案であって、前記対向する第一側板のいずれか一方に第一折込板を連設し、他方に蓋板を連設することを特徴とする包装用箱である。
【考案の効果】
【００１５】  本考案によれば、作成に手数を要さず、迅速に仕切板を備える包装用箱を組み立てることができる。
【図面の簡単な説明】
【００１６】
【図１】包装用箱１１を示す斜視図。
【図２】包装用箱１１の展開体１を示す平面図。
【図３】包装用箱１１の展開体１の部分拡大図。
【図４】包装用箱１１の組立工程を示す斜視図。
【図５】包装用箱１１の組立工程を示す斜視図。
【図６】包装用箱１１の組立工程を示す斜視図。
【図７】包装用箱１１の組立工程を示す斜視図。
【図８】包装用箱１１の組立工程を示す斜視図。
【図９】（ａ）は図５に示す包装用箱１１の部分拡大平面図。（ｂ）は図９（ａ）に示すＸ１−Ｘ１線端面図。
【図１０】（ａ）は図６に示す包装用箱１１の部分拡大平面図。（ｂ）は図１０（ａ）に示すＸ２−Ｘ２線端面図。
【考案を実施するための形態】
【００１７】  本考案の実施形態に係る包装用箱１１について、図１から図１０を用いて説明する。
【００１８】  以下に説明する本考案の包装用箱１１は、図１に示すように食品等の様々な物品を収容する包装用箱である。包装用箱１１は、箱本体部１２に蓋部１３を連設する。また、箱本体部１２は、物品Ｂを包装用箱１１内に位置決めるための仕切板２９を備える。包装用箱１１は、図２に示す展開体１を組み立てることで図１に示す組立完成状態となる。
包装用箱１１は、板紙を用いて作成されるものであるが、段ボールシートやプラスチックシートなど他の板状部材で作成することもできる。
【００１９】  まず、包装用箱１１の構成について、図２、図３に従って説明する。図２は包装用箱１１の展開体１を箱内面側を紙面手前側として示している。破線は折線を示している。図３は、図２に示す展開体１の仕切板２９付近を拡大して示している。
なお、便宜上、図中の矢印の方向に従って説明を行うが、本考案においては図中の矢印の方向に従って実施されることに特に限定するものではない。
【００２０】  展開体１の底板２１は、包装用箱１１の底板を構成する部分である。
【００２１】  底板２１の上下側の端縁には夫々折線を介して第一側板２２、２３を連設している。第一側板２２、２３は組立完成状態において底板２１に対して起立し互いに対向する一対の前後の側板を構成する部分である。
【００２２】  底板２１の右側の端縁には折線Ｏ１を介して第二側板２４を連設している。底板２１の左側の端縁には折線を介して第二側板２５を連設している。第二側板２４、２５は組立完成状態において第一側板２２、２３に隣接するとともに底板２１に対して起立し互いに対向する一対の左右の側板を構成する部分である。
【００２３】  また、第二側板２４の上下側の端縁には、夫々折線を介して側板連結板２６を連設している。第二側板２５の上下側の端縁には、夫々折線を介して側板連結板２７を連設している。
【００２４】  第一側板２２の下側の端縁には折線を介して第一折込板２８を連設している。第一折込板２８は組立完成状態において対向する第一側板２２、２３の一方の第一側板２２に連設され、底板２１と互いに対向する部分である。第一折込板２８の上下方向略中央部には、仕切板２９を形成している。仕切板２９の構成の詳細については後述する。
【００２５】  第一折込板２８の右側の端縁には折線Ｏ２を介して起立板３０を連設している。第一折込板２８の左側の端縁には折線を介して起立板３１を連設している。起立板３０、３１は組立完成状態において第二側板２４、２５側に位置し、底板２１に対して起立する部分である。なお、折線Ｏ２は折線Ｏ１よりも距離Ｋの長さ分右側に形成している。
【００２６】  第一折込板２８の下側の端縁には折線を介して重合板３２を連設している。重合板３２は、組立完成状態において第一折込板２８と重ねて固定する部分である。
【００２７】  第一側板２２と第一折込板２８との間の折線付近であって、左右側には夫々係止スリット３５ｂ、係止スリット３６ｂを切込形成している。中央部には係止スリット３８ｂを切込形成している。組立完成状態において係止スリット３５ｂは後述する係止部３５ａを係止して、第一折込板２８と後述する第二折込板３３とを重ねて固定する部分であり、係止機構３５を構成する部分である。係止スリット３６ｂは後述する係止部３６ａを係止して、第一折込板２８と後述する第二折込板３４とを重ねて固定する部分であり、係止機構３６を構成する部分である。係止スリット３８ｂは、後述する係止部３８ａを係止して閉封を保持する部分であり、係止機構３８を構成する部分である。
【００２８】  また、第二側板２４、２５の左右側の端縁には夫々折線を介して第二折込板３３、３４を連設している。第二折込板３３、３４は、組立完成状態において底板２１と互いに対向する部分である。また、第二折込板３３、３４の下側の端縁には、夫々折線を介して係止部３５ａ、３６ａを連設している。組立完成状態において係止部３５ａは前記の如く係止スリット３５ｂと係止し、係止部３６ａは係止スリット３６ｂと係止して、第一折込板２８と第二折込板３３、３４とを重ねて固定する係止機構３５、３６を構成する部分である。
【００２９】  第一側板２３の上側の端縁には、折線を介して蓋板３７を連設している。蓋板３７は組立完成状態において対向する第一側板２２、２３のうち、第一折込板２８を連設しない他方の第一側板２３に連設される部分である。蓋板３７の上側の端縁には折線を介して係止部３８ａを連設している。係止部３８ａは、組立完成状態において係止スリット３８ｂと係止して閉封を保持する係止機構３８を構成する部分である。
【００３０】  仕切板２９の構成について、図３に従って説明する。
仕切板２９は、第一折込板２８の上下方向略中央部に、左右方向に隣り合う谷折線２９ａと山折線２９ｂと、谷折線２９ａの一端２９ａａから山折線２９ｂの一端２９ｂｂを通過して延びる第一切線２９ｃと、山折線２９ｂの他端２９ｂｂｂから谷折線２９ａの他端２９ａａａを通過して延びる第二切線２９ｄとで構成される。仕切板２９は、組立完成状態において谷折線２９ａ、山折線２９ｂ、第一切線２９ｃ、第二切線２９ｄで囲まれる領域が底板２１に対して起立する部分である。
【００３１】  次に、包装用箱１１の組み立てについて図４から図１０に従って説明する。
【００３２】  まず、図２に示す展開体１の状態から、図４に示すように第一折込板２８と重合板３２との間の折線を折り曲げて重合板３２を第一折込板２８の裏面に重ね、接着材等によって貼着する。斜線で示した領域が貼着領域Ｈであり、主に仕切板２９以外の部分を貼着している。
【００３３】  次に、図５に示すように底板２１と第一側板２２との間の折線を折り曲げて、第一側板２２を底板２１に対して起立する。つづいて、第一側板２２と第一折込板２８との間の折線を折り曲げて、第一折込板２８と底板２１とを互いに対向させる。
図９（ａ）はこの状態を示す部分平面図、（ｂ）はＸ１−Ｘ１線端面図である。この状態において底板２１と第二側板２４との間の折線Ｏ１と、第一折込板２８と起立板３０との間の折線Ｏ２との間には距離Ｋが生じている。
【００３４】  次に、図６に示すように折線Ｏ１を折り曲げて第二側板２４を底板２１に対して起立する。また、底板２１と第二側板２５との間の折線を折り曲げて第二側板２５を底板２１に対して起立する。この状態において第二側板２４と第二側板２５は互いに対向する。
さらに、折線Ｏ２を折り曲げて起立板３０を底板２１に対して起立し、底板２１と第二側板２５との間の折線を折り曲げて起立板３１を底板２１に対して起立して、起立板３０、３１を夫々第二側板２４、２５と接触させる。
図１０（ａ）はこの状態を示す部分平面図、（ｂ）はＸ２−Ｘ２線端面図である。このとき、起立板３０は第二側板２４と重なり、起立板３０及び第一折込板２８は第二側板２４に押されて距離Ｋの長さ分が左側にスライドし、同時に谷折線２９ａが谷折りされ、山折線２９ｂが山折りされ、重合板３２が底板２１に重なり、谷折線２９ａ、山折線２９ｂ、第一切線２９ｃ、第二切線２９ｄに囲まれた領域が第一折込板２８から立ち上がって底板２１に対して起立する仕切板２９を形成する。このとき、起立板３０と第二側板２４が接触しているため、仕切板２９の起立状態が保持される。
【００３５】  つづいて、図７に示すように第二側板２４と側板連結板２６との間の折線及び第二側板２５と側板連結板２７との間の折線を夫々折り曲げて、側板連結板２６、２７を箱本体部１２側に起立させる。さらに第二側板２４、２５と第二折込板３３、３４との間の折線を夫々折り曲げて、第二折込板３３、３４を底板２１と対向させる。この状態において、第一折込板２８と第二折込板３３、３４が重なり、また起立板３０、３１の上端部が夫々第二折込板３３、３４と接触して、第一折込板２８の浮き上がりを防止する。
【００３６】  次に、第二折込板３３と係止部３５ａとの間の折線、第二折込板３４と係止部３６ａとの間の折線を夫々折り曲げて、係止部３５ａ、係止部３６ａを夫々係止スリット３５ｂ、３６ｂに挿入して係止する。この状態において第一折込板２８と第二折込板３３、３４とが重なった状態で固定され、第一側板２２と第二側板２４、２５の起立状態が保持される。
【００３７】  そして、仕切板２９間に収容物品Ｂを収容し、底板２１と第一側板２３との間の折線を折り曲げて第一側板２３を底板２１に対して起立する。この状態において、第一側板２２と第二側板２３は互いに対向する。そして、第二側板２３と蓋板３７との間の折線を箱本体部１２側に折り曲げて蓋板３７を第一折込板２８に重ねれば、図８に示すように箱本体部１２を閉封することができる。さらに、蓋板３７と係止部３８ａの間の折線を折り曲げて係止部３８ａを係止スリット３８ｂに挿入して係止すれば、閉封状態を保持することができる。
【００３８】  このように、本実施形態の包装用箱１１は、四角形の底板２１と、底板２１に連設し、底板２１に対して起立し互いに対向する一対の第一側板２２、２３と、底板２１に連設し、第一側板２２、２３に隣接するとともに底板２１に対して起立し互いに対向する一対の第二側板２４、２５と、第一側板２２に連設し、底板２１と互いに対向する第一折込板２８と、第二側板２４、２５に連設し、底板２１と互いに対向する第二折込板３３、３４と、第一折込板２８の第一側板２２、２３間方向略中央部に、第二側板間２４、２５方向に隣り合う少なくとも一対の谷折線２９ａと山折線２９ｂと、谷折線の一端２９ａａから山折線の一端２９ｂｂを通過して延びる第一切線２９ｃと、山折線の他端２９ｂｂｂから谷折線の他端２９ａａａを通過して延びる第二切線２９ｄとで囲まれる領域が底板２１に対して起立する仕切板２９とを備える。このため、箱本体部１２の組み立てと仕切板２９の起立形成を同時に行うことができ、手数を要さず、迅速に組み立てることができる。
【００３９】  また、本実施形態の包装用箱１１は、第一折込板２８に連設し、第一折込板２８と重ねて固定する重合板３２を備える。このため、上記の効果に加えて、第一折込板２８が補強され、仕切板２９の起立動作時にかかる負担による破損を防止することができる。
【００４０】  また、本実施形態の包装用箱１１は、第一折込板２８の第二側板２４、２５側に連設し、底板２１に対して起立するとともに第二側板２４、２５と接触する起立板３０、３１を備える。このため、上記の効果に加えて、仕切板２９の起立状態を強固に保持することができる。さらに、第二側板２４、２５が補強され、包装箱１１の強度が向上する。
【００４１】  また、本実施形態の包装用箱１１は、起立板３０、３１と第二折込板３３、３４とが接触する。このため、上記の効果に加えて、第二折込板３３、３４が第一折込板２８の浮き上がりを防止し、仕切板２９の起立状態を強固に保持する。さらに、第二側板２４、２５が補強され、包装箱１１の強度が向上する。
【００４２】  また、本実施形態の包装用箱１１は、第一折込板２８と第二折込板３３、３４とを重ねて固定する係止機構３５、３６を備える。このため、上記の効果に加えて、第一側板２２と第二側板２４、２５の起立状態を強固に保持することができる。
【００４３】  また、本実施形態の包装用箱１１は、対向する第一側板２２、２３のうち一方の第一側板２２に第一折込板２８を連設し、他方の第一側板２３に蓋板３７を連設する。このため、上記の効果に加えて、箱本体部１２と蓋部１３とが一体に形成されるため、より一層手数を要さずに迅速に組み立てることができる。
【００４４】  以上、本考案の実施形態について説明したが、本考案はこれに限定されるものではない。例えば、上記実施形態では第一折込板２８の第二側板２４、２５側に起立板３０、３１を設けているが、これに加えて、又はこれに替えて、重合板３２の第二側板側に起立板を設け、底板２１に対して起立し、第二側板２４、２５と接触させることによっても上記実施形態と同様の効果を得ることができる。
また、上記実施形態では重合板３２を設けているが、重合板３２を設けなくても本考案の目的を達することができる。
さらに、上記実施形態では、箱本体部１２に蓋部１３を一体に形成しているが、箱本体部１２と蓋部１３を別々に形成しても、本考案の目的を達することができる。
【符号の説明】
【００４５】１      展開体
１１    包装用箱
１２    箱本体部
１３    蓋部
２１    底板
２２、２３    第一側板
２４、２５    第二側板
２６、２７    側板連結板
２８    第一折込板
２９    仕切板
２９ａ  谷折線
２９ａａ  谷折線の一端
２９ａａａ  谷折線の他端
２９ｂ  山折線
２９ｂｂ  山折線の一端
２９ｂｂｂ  山折線の他端
２９ｃ  第一切線
２９ｄ  第二切線
３０、３１    起立板
３２    重合板
３３、３４    第二折込板
３５、３６、３８  係止機構
３５ａ、３６ａ、３８ａ  係止部
３５ｂ、３６ｂ、３８ｂ  係止スリット
３７    蓋板
Ｂ  物品
Ｏ１、Ｏ２  折線
Ｋ  距離
Ｈ  貼着領域
【図１】
0003195439.tif 000003
【図２】
0003195439.tif 000004
【図３】
0003195439.tif 000005
【図４】
0003195439.tif 000006
【図５】
0003195439.tif 000007
【図６】
0003195439.tif 000008
【図７】
0003195439.tif 000009
【図８】
0003195439.tif 000010
【図９】
0003195439.tif 000011
【図１０】
0003195439.tif 000012